【事件の表示】
　平成１１年特許願第１８６４３４号「プラズマディスプレイパネル」拒絶査定不服審判事件〔平成１３年　１月１９日出願公開、特開２００１−　１５０４０〕について、次のとおり審決する。
【結　論】
　本件審判の請求は、成り立たない。
【理　由】
第１　手続の経緯
　本願は、平成１１年６月３０日の出願であって、平成１６年１０月１５日付け（発送日平成１６年１０月２６日）で拒絶査定がなされ、これに対し、同年１１月２４日に拒絶査定に対する審判請求がなされるとともに、同年１２月１６日付けで手続補正がなされたものである。
　
第２　平成１６年１２月１６日付けの手続補正についての補正却下の決定
［補正却下の決定の結論］
　平成１６年１２月１６日付けの手続補正を却下する。
　
［理由］
　１　補正の内容
　本件手続補正により、特許請求の範囲の請求項１の記載は次のように補正された。
　「【請求項１】前面基板上に複数の行電極対と前記行電極対を被覆する誘電体層とが設けられ、前記前面基板と放電空間を介して対向する背面基板上に前記行電極対と直交する方向に配列され前記行電極対との各交点を中心とする単位発光領域を画定する複数の列電極とが設けられ、前記前面基板と前記背面基板との間に配置されて前記単位発光領域毎に前記放電空間を区画する隔壁と、前記隔壁の側面及び前記背面基板上に設けられた蛍光体層とを備え、前記行電極対の行電極の各々は前記単位発光領域毎に放電ギャップを挟んで配置され、前記行電極の各々は行方向に延びる本体部と、前記本体部に接続されて前記放電ギャップを挟んで互いに対向する突出部とを有し、前記突出部は前記放電ギャップに近接し、前記放電ギャップ介して互いに対向する幅広部と、前記幅広部より幅狭であって前記本体部に接続される基端部と、からなるプラズマディスプレイパネルであって、前記前面基板上に凸部を設け、前記凸部上に前記幅広部を配置し、前記誘電体層の前記凸部上の表面を他の部分に比して前記放電空間に対して突出させ
、前記隔壁の側面に設けられた前記蛍光体層は前記背面基板上から、前記放電空間内の前記凸部の頂部が設けられた位置よりも更に前記前面基板の側まで、にわたって設けられ
　上記補正事項は、補正前の請求項１に記載された発明を特定するために必要な事項である「蛍光体層」に関して、さらに「
前記隔壁の側面に設けられた前記蛍光体層は前記背面基板上から、前記放電空間内の前記凸部の頂部が設けられた位置よりも更に前記前面基板の側まで、にわたって設けられ
　そこで、補正後の請求項１に記載された事項により特定される発明（以下、「補正後第１発明」という。）が、特許出願の際独立して特許を受けることができるものであるか（平成１８年改正前特許法第１７条の２第５項において準用する同法第１２６条第５項の規定に適合するか）について、以下に検討する。
　
　２　独立特許要件について
　（１）補正後第１発明
　「【請求項１】前面基板上に複数の行電極対と前記行電極対を被覆する誘電体層とが設けられ、前記前面基板と放電空間を介して対向する背面基板上に前記行電極対と直交する方向に配列され前記行電極対との各交点を中心とする単位発光領域を画定する複数の列電極とが設けられ、前記前面基板と前記背面基板との間に配置されて前記単位発光領域毎に前記放電空間を区画する隔壁と、前記隔壁の側面及び前記背面基板上に設けられた蛍光体層とを備え、前記行電極対の行電極の各々は前記単位発光領域毎に放電ギャップを挟んで配置され、前記行電極の各々は行方向に延びる本体部と、前記本体部に接続されて前記放電ギャップを挟んで互いに対向する突出部とを有し、前記突出部は前記放電ギャップに近接し、前記放電ギャップ介して互いに対向する幅広部と、前記幅広部より幅狭であって前記本体部に接続される基端部と、からなるプラズマディスプレイパネルであって、前記前面基板上に凸部を設け、前記凸部上に前記幅広部を配置し、前記誘電体層の前記凸部上の表面を他の部分に比して前記放電空間に対して突出させ
、前記隔壁の側面に設けられた前記蛍光体層は前記背面基板上から、前記放電空間内の前記凸部の頂部が設けられた位置よりも更に前記前面基板の側まで、にわたって設けられ
　
　（２）引用例
　原査定の拒絶の理由に引用された、本願の出願前に頒布された刊行物である特開平９−５０７６７号公報（以下、「引用例」という。）には、以下の事項が図面とともに記載されている。
　　　ア　「【０００１】【発明の属する技術分野】本発明は、放電空間を分離、または仕切る隔壁が設けられた薄型平面表示装置（ＰＤＰ：プラズマディスプレイパネル）に関するものである。」
　　　イ　「【０００５】【従来の技術】図７は一般的なＡＣ駆動型の薄型平面表示装置、例えばカラー表示用の面放電型プラズマディスプレイパネル（ＰＤＰ）の一例を示す要部分解斜視図であり、１つの画素ＥＧに対応する部分の基本的な構造を示している。【０００６】ＰＤＰ１は、マトリクス表示の単位発光領域（サブピクセル）ＥＵに一対のＸ，Ｙからなる表示電極１２とアドレス電極Ａとが対応する３電極構造を有しており、カラー表示用の蛍光体２４の配置形態による分類の上では反射タイプの面放電型ＰＤＰと呼ばれている。【０００７】そして、面放電のための一対のＸ，Ｙからなる表示電極１２は、放電空間２５に対して表示面Ｈ側のガラス基板１１上に設けられており、面放電を広範囲とし、かつ表示光の遮光を最小限にするためにネサ膜 (ＳｎＯ２膜等) などからなる幅広い透明導電膜１２ａとその導電性を補う (低抵抗化) ための幅狭いバス金属膜１２ｂとを積層した構成からなっている。【０００８】また、その表示電極１２上は壁電荷を利用してガス放電を維持するＡＣ駆動のための誘電体層１３によって放電空間２５に対して絶縁状態に一様に被覆されており、該誘電体層１３の表面には更に５０００Å程度の厚さのＭｇＯ膜からなる保護膜１４が同様に被覆されている。【０００９】一方、単位発光領域（サブピクセル）ＥＵを選択的に発光させるためのアドレス電極Ａは、背面側のガラス基板２１上に、前記一対のＸ、Ｙからなる表示電極１２と直交するように一定ピッチで配列され、各アドレス電極Ａの間には２００μｍ程度の高さを有するストライプ状の隔壁２３が設けられ、これによって放電空間２５がライン方向 (表示電極１２の延長方向) に単位発光領域（サブピクセル）ＥＵ毎に区画され、かつ放電空間２５の間隔寸法が規定されている。【００１０】更に、前記ガラス基板２１には、アドレス電極Ａを覆っている誘電体層 (図示省略) の上面及び隔壁２３の側面を含めた背面側の内面を被覆するように、Ｒ（赤），Ｇ（緑），Ｂ（青）の３原色の蛍光体２４が設けられている。そしてこのような構成のＰＤＰ１では各色の蛍光体２４は面放電時に放電空間２５内のガス放電より放射される紫外線により励起されて発光し、Ｒ，Ｇ，Ｂの組合せによるフルカラー表示が可能であり、その表示に際して隔壁２３により単位発光領域（サブピクセル）ＥＵ間のクロストークが防止されている。」
　　　ウ　「【００２３】【発明の実施の形態】以下図面を用いて本発明の実施例について詳細に説明する。図１は本発明に係る薄型平面表示装置の第１実施例を示す要部拡大断面図である。【００２４】この図において、薄型平面表示装置は従来と同様な例えば３電極構造のカラー表示用の面放電型プラズマディスプレイパネル（ＰＤＰ）を対象とした場合であり、背面側のガラス基板２１上には、Ａｌ薄膜、或いはＡｇ厚膜からなるアドレス電極Ａが一定のピッチで配列され、各アドレス電極Ａの間には数十μｍ程度の膜厚の低融点ガラスからなる誘電体層２２を介してその低融点ガラスよりも軟化点の低い低融点ガラスからなる高さが２００μｍ程度で、幅が８０μｍを有し、放電空間を単位発光領域毎に区画して複数のサブピクセルを構成するストライプ状の隔壁２３が設けられている。【００２５】また、隔壁２３内の底面及び側面を含む内面には、Ｒ（赤），Ｇ（緑），Ｂ（青）の３原色の蛍光体２４がアドレス電極などを被覆するように設けられている。一方、表示面側のガラス基板１１上には、前記背面側のガラス基板２１上のアドレス電極Ａと交差するようにネサ膜 (ＳｎＯ２膜等) からなる透明導電膜と低抵抗化のためのバス金属膜とを積層した構成の面放電のための一対のＸ，Ｙからなる表示電極１２と、該表示電極１２上に数十μｍ程度の膜厚の低融点ガラスからなる誘電体層３３が放電空間２５に対して表示電極１２を絶縁するように被覆されている。【００２６】更に、前記誘電体層３３上には、本発明の特徴に従って背面側のガラス基板２１上に設けたストライプ状の隔壁２３と対向する領域に、幅が１００μｍ程度で、深さが２０〜３０μｍ、本実施例では幅が１００μｍで、深さが３０μｍの溝３４が設けられている。またこの溝３４を含む誘電体層３３上に更に５０００Å程度の厚さのＭｇＯ膜からなる保護膜３５が被覆されている。」
　　　エ　「【００４６】図５は本発明に係る薄型平面表示装置の第３実施例を示す要部拡大断面図である。この図で示す本実施例が図１及び図２で示す実施例と異なる点は、表示面側のガラス基板１１上の誘電体層４３に設けた溝４４と溝４４とで挟まれた基板表面を、断面かまぼこ形状に膨出させた構成としていることである。【００４７】このような構成を形成する方法としては、図６（ａ）に示すように、表示面側のガラス基板１１上の前記背面側のガラス基板の隔壁により構成される放電空間と対応する表面に、低融点ガラスを幅が１００〜２００μｍで、高さを２０〜３０μｍにスクリーン印刷法等によりライン状に塗布し、乾燥後、５５０〜６００℃で数十分間溶解焼成してかまぼこ形状の膨出層４１を形成する。【００４８】次に、そのライン状の膨出層４１を含むガラス基板１１上に、該ライン状の膨出層４１と交差する方向に薄膜形成法とフォトリソグラフィ工程によってストライプ状の透明導電膜とＣｒ−Ｃｕ−Ｃｒの３層膜等からなるバス金属膜とを積層した積層状の表示電極４２を形成する。」
　　オ　図面の図５には、ガラス基板１１上に断面かまぼこ形状の膨出層４１が描かれており、その上に表示電極４２が積層され、さらにその上に誘電体層４３が積層されて描かれている。そして、誘電体層４３の、断面かまぼこ形状の膨出層４１上の表面は、他の部分に比して放電空間４６に対して突出させて描かれている。
　
　そうすると、上記エから、図５に示された第３実施例の構成は、表示面側のガラス基板１１上の誘電体層４３に設けた溝４４と溝４４とで挟まれた基板表面を、断面かまぼこ形状に膨出させた点を除けば、図１に示す第１実施例と同じ構成を有するものであることが読み取れ、さらに、上記イ及びウから、図１に示された第１実施例の構成は、その特徴となる溝４４の構成を除けば、図７に示された一般的なＡＣ駆動型のカラー表示用面放電型プラズマディスプレイパネル（ＰＤＰ）と同じ構成を有するものであることが読み取れる。
　したがって、引用例には次の発明（以下、「引用発明」という。）が記載されているものと認められる。
　「ガラス基板１１上に、複数の、一対の電極Ｘ、Ｙからなる表示電極４２と、前記表示電極４２を被覆する誘電体層４３とが設けられ、前記ガラス基板１１と放電空間４６を介して対向するガラス基板２１上に前記表示電極４２と直交する方向に配列され前記表示電極４２との各交点を中心とする単位発光領域ＥＵを画定する複数のアドレス電極Ａとが設けられ、前記ガラス基板１１と前記ガラス基板２１との間に配置されて前記単位発光領域ＥＵ毎に前記放電空間４６を区画する隔壁２３と、前記隔壁２３の側面及びガラス基板２１上に設けられた蛍光体２４とを備え、前記表示電極４２の電極Ｘ、Ｙの各々は前記単位発光領域ＥＵ毎に放電ギャップを挟んで配置され、前記電極Ｘ、Ｙの各々は表示電極方向行方向に延びるバス金属膜１２ｂと前記バス金属膜１２ｂに接続されて前記放電ギャップを挟んで互いに対向する透明導電膜１２ａとを有するＡＣ駆動型のカラー表示用面放電型プラズマディスプレイパネルであって、前記ガラス基板１１上にかまぼこ形状の膨出層４１を設け、前記かまぼこ形状の膨出層４１上に透明導電膜１２ａを配置し、前記誘電体層４３の前記かまぼこ形状の膨出層４１上の表面を他の部分に比して前記放電空間４６に対して突出させ、前記隔壁２３の側面に設けられた前記蛍光体２４は、前記ガラス基板２１上から、前記ガラス基板１１の側の途中位置まで、にわたって設けられたＡＣ駆動型のカラー表示用面放電型プラズマディスプレイパネル。」
　
　（３）対比
　補正後第１発明と引用発明とを対比する。
　　　ア　引用発明の「ガラス基板１１」、「一対の電極Ｘ、Ｙからなる表示電極４２」、「誘電体層４３」、「放電空間４６」、「ガラス基板２１」、「単位発光領域ＥＵ」、「アドレス電極Ａ」、「隔壁２３」、「蛍光体２４」、「放電ギャップ」、「ＡＣ駆動型のカラー表示用面放電型プラズマディスプレイパネル」は、それぞれ、補正後第１発明の「前面基板」、「行電極対」、「誘電体層」、「放電空間」、「背面基板」、「単位発光領域」、「列電極」、「隔壁」、「蛍光体層」、「放電ギャップ」、「プラズマディスプレイパネル」に相当する。
　　　イ　引用発明の「電極Ｘ、Ｙ」は、補正後第１発明の「行電極の各々」に相当し、引用発明の「バス金属膜１２ｂ」、「透明導電膜１２ａ」は、それぞれ、補正後第１発明の「本体部」、「突出部」に相当する。
　　　ウ　引用発明の「かまぼこ形状の膨出層４１」は、補正後第１発明の「凸部」に相当する。そして、引用発明の「前記誘電体層４３の前記かまぼこ形状の膨出層４１上の表面を他の部分に比して前記放電空間４６に対して突出させ」は、補正後第１発明の「前記誘電体層の前記凸部上の表面を他の部分に比して前記放電空間に対して突出させ」に相当する。
　　　エ　引用発明の「前記隔壁２３の側面に設けられた前記蛍光体２４は、前記ガラス基板２１上から、前記ガラス基板１１の側の途中位置まで、にわたって設けられた」ことと、補正後第１発明の「前記隔壁の側面に設けられた前記蛍光体層は前記背面基板上から、前記放電空間内の前記凸部の頂部が設けられた位置よりも更に前記前面基板の側まで、にわたって設けられたこと」とは、共に、「前記隔壁の側面に設けられた前記蛍光体層は前記背面基板上から、前記前面基板の側の所定位置までに、わたって設けられたこと」で共通する。
　以上ア〜エの考察から、両者は、
　【一致点】
　「前面基板上に複数の行電極対と前記行電極対を被覆する誘電体層とが設けられ、前記前面基板と放電空間を介して対向する背面基板上に前記行電極対と直交する方向に配列され前記行電極対との各交点を中心とする単位発光領域を画定する複数の列電極とが設けられ、前記前面基板と前記背面基板との間に配置されて前記単位発光領域毎に前記放電空間を区画する隔壁と、前記隔壁の側面及び前記背面基板上に設けられた蛍光体層とを備え、前記行電極対の行電極の各々は前記単位発光領域毎に放電ギャップを挟んで配置され、前記行電極の各々は行方向に延びる本体部と、前記本体部に接続されて前記放電ギャップを挟んで互いに対向する突出部とを有するプラズマディスプレイパネルであって、前記前面基板上に凸部を設け、前記凸部上に前記突出部を配置し、前記誘電体層の前記凸部上の表面を他の部分に比して前記放電空間に対して突出させ、前記隔壁の側面に設けられた前記蛍光体層は前記背面基板上から、前記前面基板の側の所定位置まで、にわたって設けられたことを特徴とするプラズマディスプレイパネル。」
である点で一致し、次の相違点１及び２で相違する。
　【相違点】
　相違点１：本体部に接続されて前記放電ギャップを挟んで互いに対向する突出部に関して、補正後第１発明では、突出部が放電ギャップに近接し、前記放電ギャップ介して互いに対向する幅広部と、前記幅広部より幅狭であって本体部に接続される基端部とからなり、凸部上に前記幅広部を配置しているのに対して、引用発明では、透明導電膜１２ａはそのようなものでない点。
　相違点２：前記隔壁の側面に設けられた前記蛍光体層は前記背面基板上から、前記前面基板の側の所定位置まで、にわたって設けられたことに関して、補正後第１発明では、背面基板上から放電空間内の凸部の頂部が設けられた位置よりも更に前面基板の側まで、にわたって設けられているのに対して、引用発明では、ガラス基板２１上からガラス基板１１の側の途中位置まで、にわたって設けられているものの、かまぼこ形状の膨出層４１の頂部が設けられた位置よりガラス基板１１の側まで、にわたって設けられているか不明である点。
　
　（４）判断
　上記相違点について検討する。
　相違点１については、面放電型プラズマディスプレイパネルの技術分野において、いわゆる行電極対の透明導電膜を、放電ギャップに近接し前記放電ギャップを介して互いに対向する幅広部と、前記幅広部より幅狭であってバス電極に接続される基端部とから構成したものは、例えば、特開平１０−９２３２６号公報（「図７は、第５の実施の形態を示したものであり、第１乃至第４の実施の形態と異なる点は、各単位発光領域１５毎に対向する透明電極対４Ｘ、５Ｙの突出部１６、１８の先端に設けられた矩形状の変形放電部の長部２４ａを同一とし、短部２５ａｘ、２５ａｙを異なる寸法で構成した点である。」（段落【００２６】））、特開平１０−１６２７４４号公報（「図６に示すように、行電極対２、２の各行電極は、水平方向に延びる本体部２ｃと、単位発光領域１２毎に本体部２ｃから垂直方向に互いに放電ギャップ１１を介して対向するように突出する突出部２ｄとを有する。突出部２ｄを構成する透明電極膜からなる透明電極２ａは、単位発光領域１２毎に分離され、独立した島状に形成されている。突出部２ｄを構成する透明電極２ａは、放電ギャップ１１に近接する幅広部２ｅと、幅広部２ｅに続く幅の狭い幅狭部２ｆとでＴ字形状に形成されている。」（段落【００２７】））、特開平８−２５００３０号公報（「サスティン電極２Ａの透明導電膜２に突出部２ａを設けた場合について説明したが、この例に限らず、たとえば図４に示すように、透明導電膜２の突出部２ａを頭部２ｅの幅より細くしたＴ字形状としてもよく」（段落【００２７】））に記載されているごとく周知である。
　したがって、当該周知技術を引用発明の透明導電膜に採用して補正後第１発明のごとく構成することは当業者が容易になし得たものである。
　次に、相違点２について検討する。
　面放電型プラズマディスプレイパネルの技術分野において、隔壁の側面に設けられた蛍光体層を背面基板上から前面基板の側の前記隔壁の頂部までにわたって設けることは、例えば、特開平９−２２６５５号公報（そこには、段落【０００３】に、「図１はＡＣ型ＰＤＰの一構成例を示したものである・・・バリヤーリブ３の壁面とセルの底面を覆うようにして蛍光層１０が設けられている」と記載され、図面の図１には、バリヤーリブ３の側面に設けられた蛍光体１０は、背面板２上から前面板１の側のバリヤーリブ３の頂部までにわたって描かれている。）、特開平１１−１４４６２４号公報（公開日平成１１年５月２８日。そこには、段落【００７０】〜【００７２】に、「本発明の画像表示装置の第２の実施の形態について図２２，図２３を参照しながら説明する・・・この画像表示装置（プラズマディスプレイパネル）は、図２２，図２３に示すように、第１の基板４１と第２の基板４２が所定の間隙をもって対向配置され、第２の基板４２に形成された電極４３Ａ，４３Ｂ間にＡＣ電圧を印可することで放電を生じさせるＡＣ面放電型とされている・・・そして、この隔壁４７で囲まれた領域の壁面と底部には蛍光体５２が塗布されている」と記載され、図面の図２３には、隔壁４７の側面に設けられた蛍光体５２は、第１の基板４１上から第２の基板４２の側の隔壁４７の頂部までにわたって描かれている。）に記載されているごとく周知である。
　そして、引用発明において、蛍光体２４を隔壁の頂部までにわたって設ければ、必然的に、かまぼこ形状の膨出層４１の頂部が設けられた位置よりガラス基板１１の側まで、にわたって設けたこととなるから、したがって、前記周知技術を、引用発明の隔壁２３の側面に設けられた前記蛍光体２４に適用して補正後第１発明のごとく構成することは当業者が容易になし得たものである。
　そして、補正後第１発明の奏する効果についても、上記引用例に記載された事項及び上記周知技術に基づいて当業者が予測できる範囲内のものである。
　
　（５）むすび
　以上のとおりであるから、補正後第１発明は、引用発明及び上記周知技術に基づいて当業者が容易に発明をすることができたものであり、特許法第２９条第２項の規定により特許出願の際独立して特許を受けることができないものである。
　したがって、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
第３　本願発明
　平成１６年１２月１６日付けの手続補正は上記のとおり却下されたので、本願の請求項１ないし５に係る発明は、平成１６年５月１２日付け手続補正により補正された明細書及び図面の記載からみて、その特許請求の範囲の請求項１ないし５に記載された事項により特定されるとおりものであると認められるところ、本願の請求項１に係る発明（以下、「本願第１発明」という。）は次のとおりである。
　「【請求項１】前面基板上に複数の行電極対と前記行電極対を被覆する誘電体層とが設けられ、前記前面基板と放電空間を介して対向する背面基板上に前記行電極対と直交する方向に配列され前記行電極対との各交点を中心とする単位発光領域を画定する複数の列電極とが設けられ、前記前面基板と前記背面基板との間に配置されて前記単位発光領域毎に前記放電空間を区画する隔壁と、前記隔壁の側面及び前記背面基板上に設けられた蛍光体層とを備え、前記行電極対の行電極の各々は前記単位発光領域毎に放電ギャップを挟んで配置され、前記行電極の各々は行方向に延びる本体部と、前記本体部に接続されて前記放電ギャップを挟んで互いに対向する突出部とを有し、前記突出部は前記放電ギャップに近接し、前記放電ギャップ介して互いに対向する幅広部と、前記幅広部より幅狭であって前記本体部に接続される基端部と、からなるプラズマディスプレイパネルであって、前記前面基板上に凸部を設け、前記凸部上に前記幅広部を配置し、前記誘電体層の前記凸部上の表面を他の部分に比して前記放電空間に対して突出させたことを特徴とするプラズマディスプレイパネル。」
　
第４　引用例
　原査定の拒絶の理由に引用された引用例（特開平９−５０７６７号公報）及びその記載事項は、上記「第２」の「２（２）引用例」に記載したとおりである。
　
第５　対比・判断
　本願第１発明は、上記「第２」の「２　独立特許要件について」で検討した補正後第１発明の発明特定事項から、発明を特定するために必要な事項である蛍光体層に関する、「前記隔壁の側面に設けられた前記蛍光体層は前記背面基板上から、前記放電空間内の前記凸部の頂部が設けられた位置よりも更に前記前面基板の側まで、にわたって設けられ」た点の限定事項を省いたものである。
　そうすると、本願第１発明の発明特定事項を全て含み、さらに限定事項を付加したものに相当する補正後第１発明が、上記のとおり引用発明及び周知技術に基づいて当業者が容易に発明をすることができたものであるから、本願第１発明も、同様の理由により、引用発明及び周知技術に基づいて当業者が容易に発明をすることができたものである。
　
第６　むすび
　以上のとおり、本願第１発明は、引用発明及び上記周知技術に基づいて当業者が容易に発明をすることができたものであるから、特許法第２９条第２項の規定により特許を受けることができない。
　そして、本願第１発明が特許を受けることができないものであるから、その余の請求項２ないし５に係る発明について検討するまでもなく、本願は拒絶すべきものである。
　よって、結論のとおり審決する。